(57)【要約】【課題】容器内部における内容物の残留を抑制することができるチューブ容器を提供する。【解決手段】チューブ容器は、一端が閉塞され、内容物を収容することができる筒状の胴部と、胴部の他端に取り付けられた胴部の他端を閉塞可能な注出口部とを含むチューブ容器であって、注出口部は、胴部の長手方向に直交する平板状の閉塞部を備え、胴部の他端は、閉塞部の端縁において、閉塞部の胴部の一端側とは反対側の面に接着されている。【選択図】図２
2020063090.tif 000002
【特許請求の範囲】
【請求項１】
一端が閉塞され、内容物を収容することができる筒状の胴部と、前記胴部の他端に取り付けられた前記胴部の他端を閉塞可能な注出口部とを含むチューブ容器であって、
前記注出口部は、前記胴部の長手方向に直交する平板状の閉塞部を備え、
前記胴部の前記他端は、前記閉塞部の端縁において、前記閉塞部の前記胴部の前記一端側とは反対側の面に接着されている、
チューブ容器。
【請求項２】
前記注出口部の前記閉塞部は、ハーフカットと、前記ハーフカットの内側に設けられたプルリングとを備える、
請求項１に記載のチューブ容器。
【請求項３】
前記注出口部は、前記注出口部に取り付けられるヒンジキャップをさらに備え、前記ヒンジキャップに設けられた注出用の穴の内周径は前記ハーフカットの直径およびプルリングの外径より大きい、請求項２に記載のチューブ容器。
【発明の詳細な説明】
【技術分野】
【０００１】
本発明は、チューブ容器に関するものである。
【背景技術】
【０００２】
医薬品、化粧品、食品等を充填して包装することができるチューブ容器が知られている。チュ−ブ容器は、一般に、一端が閉塞されかつ他端が開口した筒状の胴部と、胴部の開口他端に溶着等により取り付けられた、胴部の開口から離れるにしたがって外径が小さくなるテーパ形状に形成された注出口部（肩部とも呼ばれる）とを含む。注出口部の胴部と反対側には、内容物を取り出すことができる開口部が設けられ、チューブ容器の使用者は胴部を押し潰すことにより、開口部から内容物を絞り出すことができる。（特許文献１参照）。
【先行技術文献】
【特許文献】
【０００３】
【特許文献１】特開２０１６−１９９２８０号公報
【発明の概要】
【発明が解決しようとする課題】
【０００４】
このようなチューブ容器では、注出口部がテーパ形状に形成されていることから、内容物を取り出す際に内容物の一部が注出口部の内方に残留してしまい、全ての内容物を絞り出すことが困難であるという課題があった。
【０００５】
本発明はこのような課題に鑑みてなされたものであり、容器内部における内容物の残留を抑制することができるチューブ容器を提供することを目的とする。
【課題を解決するための手段】
【０００６】
上記課題を解決するための本発明の一局面は、一端が閉塞され、内容物を収容することができる筒状の胴部と、胴部の他端に取り付けられた胴部の他端を閉塞可能な注出口部とを含むチューブ容器であって、注出口部は、胴部の長手方向に直交する平板状の閉塞部を備え、胴部の他端は、閉塞部の端縁において、閉塞部の胴部の一端側とは反対側の面に接着されている、チューブ容器である。
【発明の効果】
【０００７】
本発明によれば、容器内部における内容物の残留を抑制することができるチューブ容器を提供することができる。
【図面の簡単な説明】
【０００８】
【図１】本発明の一実施形態に係るチューブ容器の正面図および側面図
【図２】注出口部の断面図および平面図
【図３】本発明の一実施形態に係るチューブ容器の要部を拡大した断面図
【図４】本発明の一実施形態に係るチューブ容器から内容物を取り出す際の様子を説明するための断面図
【発明を実施するための形態】
【０００９】
本発明の実施形態に係るチューブ容器１００について、図を参照して説明する。チューブ容器１００は、一端が閉塞された胴部１０と、胴部１０の他端に取り付けられた注出口部２０とを含む。また、チューブ容器１００は、一例として、注出口部２０に取り付けられるヒンジキャップ３０をさらに備える。
【００１０】
図１に、チューブ容器１００の正面図および側面図を示し、図２に、注出口部２０の平面図およびＢ−Ｂ’線で切断した断面図を示し、図３に、ヒンジキャップ３０を取り付けた注出口部２０周辺を拡大した図１のＡ−Ａ線で断面図を示す。なお、図１では、便宜上、注出口栓２０は、ヒンジキャップ３０が取り付けられていない状態を示している。
【００１１】
胴部１０は、一端に位置する底部１１が閉塞された、図示しない内容物を収容することができる軟素材で形成された筒状の部材である。胴部１０は、一例としてフィルムを筒状にした後、底部１１と、胴部１０の長手方向に沿った端縁とのそれぞれにおいて対向するフィルムどうしを接着することにより形成することができる。フィルムどうしの接着方法は、特に限定されないが、例えばフィルムにポリエチレンを含んだ接着層を設けて、これらをヒートシールする方法を用いることができる。
【００１２】
注出口部２０は、胴部１０の他端に位置する頂部１２に取り付けられ、胴部１０の頂部１２を閉塞可能とする部材である。注出口部２０は、胴部１０の長手方向に直交する平板状の閉塞部２１を備える。図２に示すように、閉塞部２１は、一例として円板形状であるが、平板状であれば形状は限定されず、楕円、長円、多角形等であってもよい。注出口部２０の材料は、特に限定されないが、低密度ポリエチレン等の樹脂材料を好適に用いることができる。閉塞部２１を平板状に形成した注出口部２０は、テーパ形状に形成された従来技術に係る注出口部と比較して、使用する材料を低減することができる。
【００１３】
閉塞部２１は、一例として略中心部に円環状のハーフカット２２を有し、ハーフカット２２の内側にプルリング２３を備える。閉塞部２１が、ハーフカット２２とプルリング２３とを備えることにより、チューブ容器１００の使用者は、プルリング２３を引っ張りハーフカット２２に沿って閉塞部２１の一部を除去することで、閉塞部２１に内容物を取り出すための開口を形成することができる。なお、ハーフカット２２とプルリング２３とを設けずに、閉塞部２１に内容物を取り出すための開口をあらかじめ形成してもよい。
【００１４】
図１、図３に示すように、胴部１０の頂部１２は、閉塞部２１の端縁において、閉塞部２１の胴部１０の底部１１側とは反対側の面に接着されている。胴部１０と閉塞部２１との接着方法は、特に限定されないが、例えばフィルムの最内層にポリエチレンを含んだ接着層を設けるとともにポリエチレンを含んだ材料で注出口部２０を形成して、これらをヒートシールする方法を用いることができる。
【００１５】
ヒンジキャップ３０は、注出口部２０に取り付けられ、注出口部２０に形成された開口の閉塞および開放を可能にする部材である。ヒンジキャップ３０は、注出口部２０に取り付けて固定される、注出用の穴３１ａを備える筒状の固定部３１と、固定部３１にヒンジ部３３を介して搖動可能に取り付けられたキャップ部３２とを備える。図３に示すように、固定部３１の穴３１ａは、平面視において、中心が注出口部２０に形成された開口の中心と重なる位置に重なるように形成される。このため、固定部３１の穴３１ａをキャップ部３２により閉塞および開放することにより、注出口部２０に形成された開口の閉塞および開放をすることができる。ヒンジキャップ３０の材料は、特に限定されないが、ポリプロピレン、ポリエチレン、低密度ポリエチレン等の樹脂材料を用いることができる。
【００１６】
ヒンジキャップ３０を注出口部２０へ固定する構造は特に限定されないが、一例として、図３に示すように、ヒンジキャップ３０および閉塞部２１のそれぞれに筒状の係合壁を設けて、係合壁どうし嵌合させて固定することができる。
【００１７】
図３に示すように、ヒンジキャップ３０の固定部３１に設けられた注出用の穴３１ａの内周径はハーフカット２２の直径およびプルリング２３の外径より大きく形成されることが好ましい。これにより、プルリング２３を使って閉塞部２１に開口を形成する際に、固定部３１の穴３１ａの外方から容易にプルリング２３を摘むことができるとともに、除去された閉塞部２１の一部を、穴３１ａを通して取り出すことが可能となる。このため、注出口部２０からヒンジキャップ３０を取り外すことなく、容易に注出口部２０に開口を形成することができる。
【００１８】
また、図１、図３に示すように、プルリング２３の上端に設けたリング部を、少なくとも一部が固定部３１の穴３１ａよりも外方側へ位置するように形成してもよい。これにより、リング部が穴３１ａよりも内方側にある場合と比べてプルリング２３が掴み易くなるため、より容易に注出口部２０に開口を形成することが可能になる。
【００１９】
なお、注出口部２０に形成された開口の閉塞および開放を実現するための形態はヒンジキャップ３０に限定されず、例えば、注出口部２０に設けた外ネジを有する円筒部と、この外ネジに螺着可能な内ネジを備えるキャップとを含む形態としてもよい。
【００２０】
（注出口部の機能）
図４に、胴部１０にわずかに残った内容物を取り出す際のチューブ容器１００の様子を説明するための断面図を示す。
【００２１】
チューブ容器１００では、注出口部２０が胴部１０の長手方向に直交する平板状の閉塞部２１を備えるとともに、胴部１０の頂部１２は、閉塞部２１の端縁において、閉塞部２１の胴部１０の底部１１側とは反対側の面に接着されている。このため、図４に示すように、指等で胴部１０を閉塞部２１の端縁で折り曲げることにより、胴部１０にわずかに残った内容物を、閉塞部２１の内方側の平面と胴部１０の内面とで挟み込むことにより注出口部２０の開口の周辺へ向かって押し出すことができる。
【００２２】
また、注出口部２０の閉塞部２１は平板状であるため、従来技術のようにテーパ形状に形成された注出口部とは異なり、内方側に内容物の残留を可能とする空間を有さない。このため、注出口部２０の開口の周辺へ向かって押し出された内容物を、胴部１０および注出口部２０の内部へ残留させることなく開口から絞り出すことができる。この結果、容器内部における内容物の残留を抑制することができる。
【００２３】
なお、チューブ容器１００では、上述のように、胴部１０を折り曲げながら内容物を絞り出すことで内容物の残留を抑制することができる。このため、胴部１０を容易に折り曲げることが可能となる、剛性が低い（コシが強くない）フィルムで胴部１０を形成することが好ましい。また、キャップとして、上述のヒンジキャップ３０を設けると、閉塞部と螺合し、回転させて開栓するキャップを設ける場合に比べて、開栓時に手でつかまれる胴部１０に要求される捩じれに対する剛性を低減できるので、剛性が低いフィルムを採用しやすく好ましい。
【産業上の利用可能性】
【００２４】
本発明は、医薬品、化粧品、食品等を充填できる包装容器に用いることができる。
【符号の説明】
【００２５】
１０    胴部
１１    底部
１２    頂部
２０    注出口部
２１    閉塞部
２２    ハーフカット
２３    プルリング
３０    ヒンジキャップ
３１    固定部
３１ａ    穴
３２    キャップ部
３３    ヒンジ部
１００    チューブ容器
【図１】
2020063090.tif 000003
【図２】
2020063090.tif 000004
【図３】
2020063090.tif 000005
【図４】
2020063090.tif 000006